(57)【要約】【課題】２つの接着剤が硬化するのに時間差が発生してしまうことを防止して、接着剤硬化による固体撮像素子とレンズ間の位置ずれを防止するための硬化光照射方法及び当該硬化光照射方法が施されたレンズブロックを提供する。【解決手段】撮像素子ユニット６−中間部材８の接着面と、保持部材７−中間部材８の接着面とのなす角度の二等分線方向Ｙ１から、両接着面に対して同時に紫外線１１を照射する。このようにすれば、撮像素子ユニット６−中間部材８の接着剤９Ａと、保持部材７−中間部材８の接着剤９Ｂとに両者に対して、同時に同量の紫外線１１を照射することができる。【選択図】　　　図３
2004112480.tif 000002
【特許請求の範囲】
【請求項１】
固体撮像素子及び該固体撮像素子が搭載された基板から構成される撮像素子ユニットと、レンズが固定され、かつ、前記撮像素子ユニットを保持する保持部材との間に中間部材が介装され、前記撮像素子ユニット及び前記保持部材が各々、接着剤によって前記中間部材に接着されたレンズブロックに、前記接着剤を硬化させる硬化光を照射するための硬化光照射方法であって、
前記撮像素子ユニット−前記中間部材の接着剤と、前記保持部材−前記中間部材の接着剤とに両者に対して、同時に同量の前記硬化光を照射するようにした
ことを特徴とする硬化光照射方法。
【請求項２】
請求項１記載の硬化光照射方法であって、
前記撮像素子ユニット−前記中間部材の接着面と、前記保持部材−前記中間部材の接着面とのなす角度の二等分線方向から、前記両接着面に対して同時に前記硬化光を照射する
ことを特徴とする硬化光照射方法。
【請求項３】
固体撮像素子及び該固体撮像素子が搭載された基板から構成される撮像素子ユニットと、レンズが固定され、かつ、前記撮像素子ユニットを保持する保持部材との間に中間部材が介装され、前記撮像素子ユニット及び前記保持部材が各々、接着剤によって前記中間部材に接着されたレンズブロックであって、
前記撮像素子ユニット−前記中間部材の接着剤と、前記保持部材−前記中間部材の接着剤との両者に対して、同時に同量の前記照射光を照射することにより、前記接着剤が硬化された
ことを特徴とするレンズブロック。
【請求項４】
請求項３記載のレンズブロックであって、
前記撮像素子ユニットは、前記固体撮像素子に接着面が設けられ、
前記中間部材は、光透過性部材から成り、
前記基板は、前記中間部材上の２つの接着面を通り、当該２つの接着面のなす角度の二等分線方向の領域であり、かつ、前記２つの接着面より中間部材側の領域と交わらない位置に配置されている
ことを特徴とするレンズブロック。
【請求項５】
請求項３記載のレンズブロックであって、
前記撮像素子ユニットは、前記固体撮像素子に接着面が設けられ、
前記中間部材は、光透過性部材から成り、
前記基板は、前記中間部材上の２つの接着面を通り、当該２つの接着面のなす角度の二等分線方向の領域であり、かつ、前記２つの接着面より中間部材側の領域と交わる部分が光透過性となっている
ことを特徴とするレンズブロック。
【請求項６】
請求項３記載のレンズブロックであって、
前記撮像素子ユニットは、前記固体撮像素子に接着面が設けられ、
前記中間部材は、光透過性部材から成り、
前記基板は、前記中間部材上の２つの接着面を通り、当該２つの接着面のなす角度の二等分線方向の領域であり、かつ、前記２つの接着面より中間部材側の領域と交わる部分の前記中間部材側の表面が反射部材からなる
ことを特徴とするレンズブロック。
【請求項７】
請求項３記載のレンズブロックであって、
前記中間部材は、光透過性部材から成り、
前記撮像素子ユニットは、前記基板の平面上に接着面が設けられる
ことを特徴とするレンズブロック。
【請求項８】
請求項３記載のレンズブロックであって、
前記中間部材は、光透過性部材から成り、
前記保持部材は、本体部及び本体部から前記中間部材に向かって突起し、かつ、前記中間部材との接着面が設けられている突起部とから構成され、
前記本体部は、前記中間部材上の２つの接着面を通り、当該２つの接着面のなす角度の二等分線方向の領域であり、かつ、前記２つの接着面より中間保持部材側の領域と交わらないような形状となっている
ことを特徴とするレンズブロック。
【請求項９】
請求項３記載のレンズブロックであって、
前記中間部材は、光透過性部材からなり、
前記保持部材は、本体部及び本体部から前記中間部材に向かって突起し、かつ、前記中間部材との接着面が設けられている突起部とから構成され、
前記本体部は、前記中間部材上の２つの接着面を通り、当該２つの接着面のなす角度の二等分線方向の領域であり、かつ、前記２つの接着面より中間保持部材側の領域と交わる部分が光透過性となっている
ことを特徴とするレンズブロック。
【請求項１０】
請求項３記載のレンズブロックであって、
前記中間部材は、光透過性部材からなり、
前記保持部材は、本体部及び本体部から前記中間部材に向かって突起し、かつ、前記中間部材との接着面が設けられている突起部とから構成されているとき、
前記本体部は、前記中間部材上の２つの接着面を通り、当該２つの接着面のなす角度の二等分線方向の領域であり、かつ、前記２つの接着面より中間保持部材側の領域と交わる部分の前記中間部材側の表面が反射部材からなる
ことを特徴とするレンズブロック。
【請求項１１】
請求項３〜１０何れか１項記載のレンズブロックであって、
前記撮像素子ユニット及び前記保持部材上の接着面が、反射部材から成る
ことを特徴とするレンズブロック。
【発明の詳細な説明】
【０００１】
【発明の属する技術分野】
本発明は、硬化光照射方法及びレンズブロックに関し、特に、固体撮像素子及び固体撮像素子が搭載された基板から構成される撮像素子ユニットと、レンズが固定され、かつ、撮像素子ユニットを保持する保持部材との間に中間部材が介装され、撮像素子ユニット及び保持部材が各々、接着剤によって中間部材に接着されたレンズブロックに、接着剤を硬化させる硬化光を照射するための硬化光照射方法及び当該硬化光照射方法が実施されたレンズブロックに関する。
【０００２】
【従来の技術】
固体撮像素子を用いて画像を光学像として読み取る装置は、図９に示すように、物体３をレンズ２を介して固体撮像素子１に結像させて読み取っている。また、この固体撮像素子１には、複数個の微少な光電変換素子（以下、単に画素といい、通常数μｍ×数μｍの大きさからなる。）を一列に配置した１ラインの固体撮像素子１が用いられている。なお、２６は光軸である。
【０００３】
このような画像読み取り装置では、レンズ２より結像された線像を固体撮像素子１上に位置させ、なおかつ光学特性（ピント、倍率）を所定の要求精度で読み取るために、レンズ２や１ラインの固体撮像素子１の画素ライン４を、図１０に示すｘ、ｙ、ｚ、β、γの５軸方向に微動させ位置を調整する必要がある。さらに、最近ではカラー像を読み取るために、Ｒｅｄ（Ｒ）、Ｇｒｅｅｎ（Ｇ）、Ｂｌｕｅ（Ｂ）に分光感度にピークを持つ画素がＲ、Ｇ、Ｂ別に３列配列した３ラインの固体撮像素子１が用いられる場合がある。
【０００４】
そこで、固体撮像素子１を、図１０に示すｘ、ｙ、ｚ、β、γの５軸方向に微動させて位置を調整した後、固定することが可能な構造として、例えば、図１１に示すような特許文献１に記載された技術を適用したものが考えられる。
【０００５】
同図に示すように、１は固体撮像素子、５は固体撮像素子が搭載された基板、６は固体撮像素子１及び基板５から構成される撮像素子ユニット、７はレンズ２が固定されている保持部材、８は撮像素子ユニット６と保持部材７との間に介装された中間部材である。
【０００６】
この中間部材８は、互いにＬ字状に連なる２つの平面８Ａ及び８Ｂを有している。平面８Ａは、ｘｚ平面と平行であり、平面８Ｂはｘｙ平面と平行である。そして、撮像素子ユニット６の固体撮像素子１は、接着剤９Ａによって、中間部材８の平面８Ａと接着され、保持部材７は、接着剤９Ｂによって中間部材８の平面部８Ｂと接着されている。
【０００７】
以上の構成によれば、保持部材７に対して、中間部材８をｘｙ平面方向において自由に取り付けることできる。また、中間部材８に対して、撮像素子ユニット６をｘｚ平面方向において自由に取り付けることができる。つまり、撮像素子ユニット６を構成する固体撮像素子１を上述した５軸方向に微動させて位置を調整した後、保持部材７に固定することができる。
【０００８】
ところで、上述した微調整が終了し、調整した位置に撮像素子ユニット６を把持した状態で、接着剤９Ａ及び９Ｂに紫外線を照射して硬化する際に、ｙ軸方向と逆方向Ｙ２から紫外線を照射したとする。中間部材８としては、光透過性部材からなるものを使い、上記紫外線は中間部材８を介して接着剤９Ａ及び９Ｂに照射される。
【０００９】
この場合、接着剤９Ａの接着面には垂直に、接着剤９Ｂの接着面には平行に紫外線が照射される。そうすると２つの接着剤９Ａ及び９Ｂが受ける紫外線強度に差が発生してしまい、接着剤９Ａが先に硬化してしまう。ここで、撮像素子ユニット６を把持した状態で、接着剤９Ａ及び９Ｂを硬化させると、接着剤９Ａ及び９Ｂの硬化時の収縮力Ｆ１及びＦ２により、中間部材８は、保持部材７側及び撮像素子ユニット６側に引き寄せられる。
【００１０】
ところが、上述したように接着剤９Ａが先に硬化してしまうと、その位置で、中間部材８が固定されてしまう。このため、接着剤９Ｂの収縮力により、中間部材８を保持部材７側に引き寄せることができず、接着剤９Ｂの収縮力により保持部材７の接着面が弾性変形してしまう。そして、接着剤９Ａ及び９Ｂ硬化後に、撮像素子ユニット６の把持を外すと、保持部材７に生じた変形が元に戻る力によって、撮像素子ユニット６が動いてしまい、固体撮像素子１−レンズ２間の位置ずれが生じてしまうという問題があった。
【００１１】
【特許文献１】
特開平１０−３０９８０１号公報
【発明が解決しようとする課題】
【００１２】
そこで、本発明は、上記のような問題点に着目し、２つの接着剤が硬化するのに時間差が発生してしまうことを防止して、接着剤硬化による固体撮像素子とレンズ間の位置ずれを防止するための硬化光照射方法及び当該硬化光照射方法が施されたレンズブロックを提供することを課題とする。
【００１３】
【課題を解決するための手段】
上記課題を解決するためになされた請求項１記載の発明は、固体撮像素子及び該固体撮像素子が搭載された基板から構成される撮像素子ユニットと、レンズが固定され、かつ、前記撮像素子ユニットを保持する保持部材との間に中間部材が介装され、前記撮像素子ユニット及び前記保持部材が各々、接着剤によって前記中間部材に接着されたレンズブロックに、前記接着剤を硬化させる硬化光を照射するための硬化光照射方法であって、前記撮像素子ユニット−前記中間部材の接着剤と、前記保持部材−前記中間部材の接着剤とに両者に対して、同時に同量の前記硬化光を照射するようにしたことを特徴とする硬化光照射方法に存する。
【００１４】
請求項１記載の発明によれば、撮像素子ユニット−中間部材の接着剤と、保持部材−中間部材の接着剤との両者に対して、同時に同量の硬化光を照射するようにした。従って、２つの接着剤に対して同時に同量の硬化光を照射することにより、撮像素子ユニット−中間部材の接着剤と、保持部材−中間部材の接着剤との両接着剤は同時に硬化し、両接着剤が硬化するのに時間差が生じてしまうことがない。
【００１５】
請求項２記載の発明は、請求項１記載の硬化光照射方法であって、前記撮像素子ユニット−前記中間部材の接着面と、前記保持部材−前記中間部材の接着面とのなす角度の二等分線方向から、前記両接着面に対して同時に前記硬化光を照射することを特徴とする硬化光照射方法に存する。
【００１６】
請求項２記載の発明によれば、撮像ユニット−中間部材の接着面と、保持部材−中間部材の接着面とのなす角の二等分線方向から、両接着面に対して同時に硬化光を照射する。従って、２つの接着面のなす角の二等分線方向から、２つの接着面に対して同時に硬化光を照射することにより、単一の硬化光発生光源を用いて、簡単に、２つの接着面に対して、同時に同量の硬化光を照射することができる。
【００１７】
請求項３記載の発明は、固体撮像素子及び該固体撮像素子が搭載された基板から構成される撮像素子ユニットと、レンズが固定され、かつ、前記撮像素子ユニットを保持する保持部材との間に中間部材が介装され、前記撮像素子ユニット及び前記保持部材が各々、接着剤によって前記中間部材に接着されたレンズブロックであって、前記撮像素子ユニット−前記中間部材の接着剤と、前記保持部材−前記中間部材の接着剤との両者に対して、同時に同量の前記照射光を照射することにより、前記接着剤が硬化されたことを特徴とするレンズブロックに存する。
【００１８】
請求項３記載の発明によれば、撮像素子ユニット−中間部材の接着剤と、保持部材−中間部材の接着剤とに両者に対して、同時に同量の前記照射光を照射することにより、接着剤が硬化されている。従って、２つの接着剤に対して同時に同量の硬化光を照射することにより、撮像素子ユニット−中間部材の接着剤と、保持部材−中間部材の接着剤との両接着剤は同時に硬化し、両接着剤が硬化するのに時間差が生じてしまうことがない。
【００１９】
請求項４記載の発明は、請求項３記載のレンズブロックであって、前記撮像素子ユニットは、前記固体撮像素子に接着面が設けられ、前記中間部材は、光透過性部材から成り、前記基板は、前記中間部材上の２つの接着面を通り、当該２つの接着面のなす角度の二等分線方向の領域であり、かつ、前記２つの接着面より中間部材側の領域と交わらない位置に配置されていることを特徴とするレンズブロックに存する。
【００２０】
請求項４記載の発明によれば、撮像素子ユニットにおいて、固体撮像素子に接着面が設けられている。中間部材が、光透過性部材から成る。基板が、中間部材上の２つの接着面を通り、その２つの接着面のなす角度の二等分線方向の領域であり、かつ、２つの接着面より中間部材側の領域と交わらない位置に配置されている。従って、２つの接着面のなす角の二等分線方向から硬化光を、光透過性の中間部材を介して２つの接着剤に照射する際に、基板がその硬化光を遮ってしまう恐れがない。
【００２１】
請求項５記載の発明は、請求項３記載のレンズブロックであって、前記撮像素子ユニットは、前記固体撮像素子に接着面が設けられ、前記中間部材は、光透過性部材から成り、前記基板は、前記中間部材上の２つの接着面を通り、当該２つの接着面のなす角度の二等分線方向の領域であり、かつ、前記２つの接着面より中間部材側の領域と交わる部分が光透過性となっていることを特徴とするレンズブロックに存する。
【００２２】
請求項５記載の発明によれば、撮像素子ユニットにおいて、固体撮像素子に接着面が設けられている。中間部材が、光透過性部材から成る。基板が、中間部材上の２つの接着面を通り、その２つの接着面のなす角度の二等分線方向の領域であり、かつ、２つの接着面より中間部材側の領域と交わる部分が光透過性となっている。従って、２つの接着面のなす角の二等分線方向から硬化光を、光透過性の中間部材を介して２つの接着剤に照射する際に、基板の光透過性となっている部分を透過して接着剤に硬化光が照射されるため、基板がその硬化光を遮ってしまう恐れがない。
【００２３】
請求項６記載の発明は、請求項３記載のレンズブロックであって、前記撮像素子ユニットは、前記固体撮像素子に接着面が設けられ、前記中間部材は、光透過性部材から成り、前記基板は、前記中間部材上の２つの接着面を通り、当該２つの接着面のなす角度の二等分線方向の領域であり、かつ、前記２つの接着面より中間部材側の領域と交わる部分の前記中間部材側の表面が反射部材からなることを特徴とするレンズブロックに存する。
【００２４】
請求項６記載の発明によれば、撮像素子ユニットにおいて、固体撮像素子に接着面が設けられている。中間部材が、光透過性部材から成る。基板が、中間部材上の２つの接着面を通り、その２つの接着面のなす角度の二等分線方向の領域であり、かつ、２つの接着面より中間部材側の領域と交わる部分の中間部材側の表面が反射部材からなる。従って、硬化光を反射部材に反射させて、２つの接着面のなす角の二等分線方向から、光透過性の中間部材を介して２つの接着剤に照射すれば、基板がその硬化光を遮ってしまう恐れがない。
【００２５】
請求項７記載の発明は、請求項３記載のレンズブロックであって、前記中間部材は、光透過性部材から成り、前記撮像素子ユニットは、前記基板の平面上に接着面が設けられることを特徴とするレンズブロックに存する。
【００２６】
請求項７記載の発明によれば、中間部材が、光透過性部材から成る。撮像素子ユニットは、基板の平面上に接着面が設けられる。従って、光透過性の中間部材を介して２つの接着剤に照射する際に、基板がその硬化光を遮ってしまう恐れがない。
【００２７】
請求項８記載の発明は、請求項３記載のレンズブロックであって、前記中間部材は、光透過性部材から成り、前記保持部材は、本体部及び本体部から前記中間部材に向かって突起し、かつ、前記中間部材との接着面が設けられている突起部とから構成され、前記本体部は、前記中間部材上の２つの接着面を通り、当該２つの接着面のなす角度の二等分線方向の領域であり、かつ、前記２つの接着面より中間保持部材側の領域と交わらないような形状となっていることを特徴とするレンズブロックに存する。
【００２８】
請求項８記載の発明によれば、中間部材が、光透過性部材からなる。保持部材が、本体部及び本体部から中間部材に向かって突起し、かつ、中間部材との接着面が設けられている突起部とから構成されている。本体部が、中間部材上の２つの接着面を通り、その２つの接着面のなす角度の二等分線方向の領域であり、かつ、２つの接着面より中間保持部材側の領域と交わらないような形状となっている。従って、２つの接着面のなす角の二等分線方向から硬化光を、光透過性の中間部材を介して２つの接着剤に照射する際に、本体部がその硬化光を遮ってしまう恐れがない。
【００２９】
請求項９記載の発明は、請求項３記載のレンズブロックであって、前記中間部材は、光透過性部材からなり、前記保持部材は、本体部及び本体部から前記中間部材に向かって突起し、かつ、前記中間部材との接着面が設けられている突起部とから構成され、前記本体部は、前記中間部材上の２つの接着面を通り、当該２つの接着面のなす角度の二等分線方向の領域であり、かつ、前記２つの接着面より中間保持部材側の領域と交わる部分が光透過性となっていることを特徴とするレンズブロックに存する。
【００３０】
請求項９記載の発明によれば、中間部材が、光透過性部材からなる。保持部材が、本体部及び本体部から中間部材に向かって突起し、かつ、中間部材との接着面が設けられている突起部とから構成されている。本体部が、中間部材上の２つの接着面を通り、その２つの接着面のなす角度の二等分線方向の領域であり、かつ、２つの接着面より中間保持部材側の領域と交わる部分が光透過性となっている。従って、２つの接着面のなす角の二等分線方向から硬化光を、光透過性の中間部材を介して２つの接着剤に照射する際に、本体部の光透過性となっている部分を透過して接着剤に硬化光が照射されるため、本体部がその硬化光を遮ってしまう恐れがない。
【００３１】
請求項１０記載の発明は、請求項３記載のレンズブロックであって、前記中間部材は、光透過性部材からなり、前記保持部材は、本体部及び本体部から前記中間部材に向かって突起し、かつ、前記中間部材との接着面が設けられている突起部とから構成されているとき、前記本体部は、前記中間部材上の２つの接着面を通り、当該２つの接着面のなす角度の二等分線方向の領域であり、かつ、前記２つの接着面より中間保持部材側の領域と交わる部分の前記中間部材側の表面が反射部材からなることを特徴とするレンズブロックに存する。
【００３２】
請求項１０記載の発明によれば、中間部材が、光透過性部材からなる。保持部材が、本体部及び本体部から中間部材に向かって突起し、かつ、中間部材との接着面が設けられている突起部とから構成されている。本体部が、中間部材上の２つの接着面を通り、当該２つの接着面のなす角度の二等分線方向の領域であり、かつ、前記２つの接着面より中間保持部材側の領域と交わる部分の前記中間部材側の表面が反射部材からなる。従って、硬化光を反射部材に反射させて、２つの接着面のなす角の二等分線方向から、光透過性の中間部材を介して２つの接着剤に照射すれば、本体部がその硬化光を遮ってしまう恐れがない。
【００３３】
請求項１１記載の発明は、請求項３〜１０何れか１項記載のレンズブロックであって、前記撮像素子ユニット及び前記保持部材上の接着面が、反射部材から成ることを特徴とするレンズブロックに存する。
【００３４】
請求項１１記載の発明によれば、撮像素子ユニット又は保持部材の接着面が、反射部材から成る。従って、中間部材、接着剤の順に透過して、反射部材からなる撮像素子ユニット及び保持部材の接着面に到達した硬化光が、その接着面で反射されて、接着剤に再び照射されるため、接着剤の硬化時間を短くすることができる。
【００３５】
【発明の実施の形態】
第１実施形態
以下、本発明の実施の形態を図面に基づいて説明する。図１は、本発明のレンズブロックの一実施の形態を示す斜視図であり、図２は、図１のレンズブロックの側面図である。なお、同図において、図９〜図１１について上述した従来のレンズブロックと同等の部分には、同一符号を付してその詳細な説明は省略する。
【００３６】
図１に示すように、固体撮像素子１を保持する保持部材７は、Ｌ字型の構造であり、ｘｚ平面と平行な平面部７Ａとｘｙ平面と平行な平面部７Ｂからなる。そして、平面部７Ａには、原稿の画像を固体撮像素子１に結像させるためのレンズ２を支持するＶ溝７Ｃが設けられいる。そして、レンズ２は、このＶ溝７Ｃとレンズ押え板１０とで挟まれ、これにより、固定される。
【００３７】
一方、平面部７Ｂには、レンズ２により収束した光を固体撮像素子１上に導くための開口部７Ｄを備えている。また、２６は光軸であり、座標軸上、Ｚ方向に該当する。他に、Ｘ方向は画像読取装置における主走査方向、Ｙは副走査方向に相当する。
【００３８】
図２に示すように、固体撮像素子１は、Ｌ字状の中間部材８を介して保持部材７の平面部７Ｂに取り付けられている。また、５は、固体撮像素子１を駆動したり、また、固体撮像素子１が出力する電気信号を、電気的な処理を施した後に画像読取装置に伝送する電装品や、固体撮像素子１自体が搭載された基板である。この固体撮像素子１及び基板５から、撮像素子ユニット６が構成されている。
【００３９】
また、図３（Ａ）の第１実施形態における中間部材８付近の断面図に示すように、上述した中間部材８は、互いにＬ字状に連なる２つの平面８Ａ及び８Ｂを有している。平面８Ａは、ｘｚ平面と平行であり、平面８Ｂはｘｙ平面と平行である。そして、撮像素子ユニット６の固体撮像素子１は、紫外線硬化型接着剤（以下、接着剤）９Ａによって、中間部材８の平面８Ａと接着され、保持部材７は、接着剤９Ｂによって中間部材８の平面部８Ｂと接着されている。また、中間部材８は、光透過性部材から構成され、紫外線（＝硬化光）を透過する。
【００４０】
また、上述した基板５は、ｘｙ平面、つまり、平面８Ｂと平行に配置されている。基板５はまた、中間部材８の接着面と一点鎖線とで囲まれた領域Ｔと交わらない位置に配置されている。領域Ｔは、詳しくは、中間部材８の接着面を通り、その２つの接着面のなす角度の二等分線方向Ｙ１の領域であり、かつ、上記２つの接着面より中間部材８側の領域である。さらに、接着剤９Ａ及び９Ｂの固体撮像素子１及び保持部材７上の接着面は、鏡や、拡散反射部材といった反射部材（図示せず）から構成されている。
【００４１】
次に、上述したレンズブロックに、接着剤９Ａ及び９Ｂを硬化させるための紫外線を照射する方法について説明する。まず、紫外線の照射は、従来で説明したように、撮像素子ユニット６の位置微調整が終了し、調整した位置に撮像素子ユニット６を把持した状態で行われる。この状態で、接着剤９Ａの接着面と接着剤９Ｂの接着面とのなす角度の二等分線方向Ｙ１から、両接着面に対して同時に紫外線１１を照射する。
【００４２】
照射された紫外線１１は、光透過性の中間部材８を介して接着剤９Ａ及び９Ｂに照射される。この際に、接着剤９Ａ及び９Ｂには、同じ角度から紫外線１１が照射される、つまり、同量の紫外線１１が照射される。従って、両接着剤９Ａ及び９Ｂは同時に硬化し、両接着剤９Ａ及び９Ｂが硬化するのに時間差が生じてしまうことがない。このため、接着剤９Ａ及び９Ｂの両方が硬化するまで、中間部材８が固定されることがなく、接着剤硬化による固体撮像素子１−レンズ２間の位置ずれを防止することができる。
【００４３】
また、接着剤９Ａ及び９Ｂに照射された紫外線１１は、接着剤９Ａ及び９Ｂを透過して、さらに固体撮像素子１及び保持部材７上の反射部材からなる接着面に到達する。到達した紫外線１１は、その接着面で反射され、再び接着剤９Ａ及び９Ｂに照射されるため、接着剤９Ａ及び９Ｂの硬化時間を短くすることができる。
【００４４】
また、図１１について説明したように、基板５が領域Ｔ（図１１には図示せず）と交わる位置に配置されると、二等分線方向Ｙ１から中間部材８を介して紫外線１１を照射する際に、基板５が紫外線１１を遮ってしまう。しかしながら、第１実施形態のように、基板５を、領域Ｔと交わらない位置に配置すれば、二等分線方向Ｙ１から中間部材８を介して紫外線１１を照射する際に、基板５が紫外線１１を遮ってしまう恐れがない。
【００４５】
このため、簡単に二等分線方向Ｙ１から２つの接着面に対して同時に紫外線１１を照射することができる。なお、図３（Ｂ）に示すように、平面８Ａ及び平面８Ｂが直角に連なっていない場合にも、二等分線方向Ｙ１からの照射を適用することが考えられる。
【００４６】
第２実施形態
なお、上述した第１実施形態では、基板５を、領域Ｔと交わらない位置に配置していた。しかしながら、なんらかの事情で、基板５を領域Ｔと交わってしまう位置に配置しなければならない場合もある。そのときは、図４の第２実施形態における中間部材８付近の断面図に示すように、基板５において、少なくとも領域Ｔと交わる交差部５Ａ及び５Ｂを光透過性部材５Ｃにより構成すればよい。また、少なくとも交差部５Ａ及び５Ｂに孔を設けるようにしてもよい。
【００４７】
以上のような構成にすることにより、二等分線方向Ｙ１から紫外線１１を、光透過性の中間部材８を介して２つの接着剤９Ａ及び９Ｂに照射する際に、基板５の光透過性部材５Ｃから構成される交差部５Ａ及び５Ｂを透過して接着剤９Ａ及び９Ｂに紫外線１１が照射されるため、基板５がその紫外線１１を遮ってしまう恐れがない。
【００４８】
第３実施形態
また、図５の第３実施形態における中間部材８付近の断面図に示すように、基板５において、少なくとも交差部５Ａ及び５Ｂの中間部材８側の表面に、反射部材５Ｄを設ける構成とすることも考えられる。このような構成にすることにより、紫外線１１を反射部材５Ｄに反射させて、二等分線方向Ｙ１から、光透過性の中間部材８を介して２つの接着剤９Ａ及び９Ｂに照射することができ、基板５がその紫外線１１を遮ってしまう恐れがない。
【００４９】
第４実施形態
また、上述した第１〜３実施形態では、固体撮像素子１に中間部材８との接着面が設けられており、基板５が平面８Ｂと平行になってしまい、基板５が紫外線照射を妨げてしまうという問題が生じていた。しかしながら、図７の第４実施形態におけるレンズブロックの断面図に示すように、中間部材８において、平面８Ａをｘｙ平面と平行に、平面８Ｂをｘｚ平面と平行に配置する。そして、基板５のソルダーコート面に接着剤９Ａの接着面を設け、基板５が平面８Ａと平行になるように配置すれば、基板５と領域Ｔが交わることなく、基板５を配置することができる。
【００５０】
また、上述した第１〜３実施形態では、保持部材７は、Ｌ字型となっていた。しかしながら、保持部材７の形状としては、例えば、図６に示すように、内部にレンズ２を収納する筒型の本体部７Ｅと、中間部材８に向かって突起する突起部７Ｆとから構成されるものが考えられる。そして、突起部７Ｆに中間部材８との接着面が設けられている。この場合、上述した本体部７Ｅは、接着剤９Ａ及び９Ｂの接着面に対して、領域Ｔと交わらない位置に配置されている。以上のように構成すれば、二等分線方向Ｙ１から中間部材８を介して紫外線１１を照射する際に、本体部７Ｅが紫外線１１を遮ってしまう恐れがない。
【００５１】
第５実施形態
なお、上述した第４実施形態では、本体部７Ｅを、領域Ｔと交わらない位置に配置していた。しかしながら、なんらかの事情で、本体部７Ｅを領域Ｔと交わってしまう位置に配置しなければならない場合もある。そのときは、図７の第５実施形態におけるレンズブロックの断面図に示すように、本体部７Ｅにおいて、少なくとも領域Ｔと交わる交差部７Ｈ及び７Ｉを、光透過性部材７Ｇにより構成すればよい。また少なくとも交差部７Ｈ及び７Ｉに孔を設けるようにしてもよい。
【００５２】
以上のような構成にすることにより、二等分線方向Ｙ１から紫外線１１を、光透過性の中間部材８を介して２つの接着剤９Ａ及び９Ｂに照射する際に、本体部７Ｅの光透過性部材７Ｇとなっている交差部７Ｅ及び７Ｆを透過して接着剤９Ａ及び９Ｂに紫外線１１が照射されるため、本体部７Ｅがその紫外線を遮ってしまう恐れがない。
【００５３】
第６実施形態
また、本体部７Ｅが領域Ｔと交わるときは、図８の第６実施形態におけるレンズブロックの断面図に示すように、本体部７Ｅにおいて、交差部７Ｈ及び７Ｉの中間部材８側の表面に、反射部材７Ｊを設ける構成とすることも考えられる。このような構成にすることにより、紫外線１１を反射部材７Ｊに反射させて、二等分線方向Ｙ１から、光透過性の中間部材８を介して２つの接着剤９Ａ及び９Ｂに照射することができ、本体部７Ｅがその紫外線１１を遮ってしまう恐れがない。
【００５４】
【発明の効果】
以上説明したように、請求項１記載の発明によれば、２つの接着剤に対して同時に同量の硬化光を照射することにより、撮像素子ユニット−中間部材の接着剤と、保持部材−中間部材の接着剤との両接着剤は同時に硬化し、両接着剤が硬化するのに時間差が生じてしまうことがないので、接着剤硬化による固体撮像素子とレンズ間の位置ずれを防止することができる硬化光照射方法を得ることができる。
【００５５】
請求項２記載の発明によれば、２つの接着面のなす角の二等分線方向から、２つの接着面に対して同時に硬化光を照射することにより、単一の硬化光発生光源を用いて、簡単に、２つの接着面に対して、同時に同量の硬化光を照射することができるので、方法を実施するための構成が簡単となりコストダウンを図った硬化光照射方法を得ることができる。
【００５６】
請求項３記載の発明によれば、２つの接着剤に対して同時に同量の硬化光を照射することにより、撮像素子ユニット−中間部材の接着剤と、保持部材−中間部材の接着剤との両接着剤は同時に硬化し、両接着剤が硬化するのに時間差が生じてしまうことがないので、接着剤硬化による固体撮像素子とレンズ間の位置ずれを防止が図られたレンズブロックを得ることができる。
【００５７】
請求項４記載の発明によれば、２つの接着面のなす角の二等分線方向から硬化光を、光透過性の中間部材を介して２つの接着剤に照射する際に、基板がその硬化光を遮ってしまう恐れがないので、簡単に、２つの接着面のなす角の二等分線方向から、中間部材を介して２つの接着面に対して同時に硬化光を照射することができるレンズブロックを得ることができる。
【００５８】
請求項５記載の発明によれば、２つの接着面のなす角の二等分線方向から硬化光を、光透過性の中間部材を介して２つの接着剤に照射する際に、基板の光透過性となっている部分を透過して接着剤に硬化光が照射されるため、基板がその硬化光を遮ってしまう恐れがないので、簡単に、２つの接着面のなす角の二等分線方向から、中間部材を介して２つの接着面に対して同時に硬化光を照射することができるレンズブロックを得ることができる。
【００５９】
請求項６記載の発明によれば、硬化光を反射部材に反射させて、２つの接着面のなす角の二等分線方向から、光透過性の中間部材を介して２つの接着剤に照射すれば、基板がその硬化光を遮ってしまう恐れがないので、簡単に、２つの接着面のなす角の二等分線方向から、中間部材を介して２つの接着面に対して同時に硬化光を照射することができるレンズブロックを得ることができる。
【００６０】
請求項７記載の発明によれば、光透過性の中間部材を介して２つの接着剤に照射する際に、基板がその硬化光を遮ってしまう恐れがないので、簡単に、２つの接着面のなす角の二等分線方向から、中間部材を介して２つの接着面に対して同時に硬化光を照射することができるレンズブロックを得ることができる。
【００６１】
請求項８記載の発明によれば、２つの接着面のなす角の二等分線方向から硬化光を、光透過性の中間部材を介して２つの接着剤に照射する際に、本体部がその硬化光を遮ってしまう恐れがないので、簡単に、２つの接着面のなす角の二等分線方向から、中間部材を介して２つの接着面に対して同時に硬化光を照射することができるレンズブロックを得ることができる。
【００６２】
請求項９記載の発明によれば、２つの接着面のなす角の二等分線方向から硬化光を、光透過性の中間部材を介して２つの接着剤に照射する際に、本体部の光透過性となっている部分を透過して接着剤に硬化光が照射されるため、本体部がその硬化光を遮ってしまう恐れがないので、簡単に、２つの接着面のなす角の二等分線方向から、中間部材を介して２つの接着面に対して同時に硬化光を照射することができるレンズブロックを得ることができる。
【００６３】
請求項１０記載の発明によれば、硬化光を反射部材に反射させて、２つの接着面のなす角の二等分線方向から、光透過性の中間部材を介して２つの接着剤に照射すれば、本体部がその硬化光を遮ってしまう恐れがないので、簡単に、２つの接着面のなす角の二等分線方向から、中間部材を介して２つの接着面に対して同時に硬化光を照射することができるレンズブロックを得ることができる。
【００６４】
請求項１１記載の発明によれば、中間部材、接着剤の順に透過して、反射部材からなる撮像素子ユニット及び保持部材の接着面に到達した硬化光が、その接着面で反射されて、接着剤に再び照射されるため、接着剤の硬化時間を短くすることができるレンズブロックを得ることができる。
【図面の簡単な説明】
【図１】本発明のレンズブロックの一実施の形態を示す斜視図である。
【図２】図１のレンズブロックの側面図である。
【図３】第１実施形態における中間部材８付近の断面図である。
【図４】第２実施形態における中間部材８付近の断面図である。
【図５】第３実施形態における中間部材８付近の断面図である。
【図６】第４実施形態におけるレンズブロックの断面図である。
【図７】第５実施形態におけるレンズブロックの断面図である。
【図８】第６実施形態におけるレンズブロックの断面図である。
【図９】固体撮像素子１を用いて画像読取を行う装置の概略図である。
【図１０】図９における固体撮像素子１の位置調整方向を示す説明図である。
【図１１】固体撮像素子１を、図１０に示すｘ、ｙ、ｚ、β、γの５軸方向に微動させて位置を調整した後、固定することが可能な構造の一例を示す図である。
【符号の説明】
１　　固体撮像素子
２　　レンズ
５　　基板
６　　撮像素子ユニット
７　　保持部材
８　　中間部材
９Ａ　接着剤
９Ｂ　接着剤
１１　紫外線（硬化光）
Ｙ１　二等分線方向
【図１】
2004112480.tif 000003
【図２】
2004112480.tif 000004
【図３】
2004112480.tif 000005
【図４】
2004112480.tif 000006
【図５】
2004112480.tif 000007
【図６】
2004112480.tif 000008
【図７】
2004112480.tif 000009
【図８】
2004112480.tif 000010
【図９】
2004112480.tif 000011
【図１０】
2004112480.tif 000012
【図１１】
2004112480.tif 000013